【事件の表示】
　特願２０１３−５１１５３４「ソーラーセルを接触させ結線するための方法と当該方法で作られるソーラーセル複合体」拒絶査定不服審判事件〔平成２３年１２月　１日国際公開、ＷＯ２０１１／１４７３８８、平成２５年　６月２７日国内公表、特表２０１３−５２７６１６、請求項の数（１９）〕について、次のとおり審決する。
【結　論】
　原査定を取り消す。
　本願の発明は、特許すべきものとする。
【理　由】
第１　手続の経緯
　本願は、２０１０年（平成２２年）５月２８日（外国庁受理、ドイツ）を国際出願日とする出願であって、平成２５年１月２９日付けで手続補正がされ、平成２６年１月６日付けで拒絶理由が通知され、同年４月８日付けで手続補正がなされるとともに意見書が提出され、同年６月２日付けで最後の拒絶理由が通知され、同年８月１４日付けで手続補正がされるとともに意見書が提出されたが、同年１０月１日付けで前記平成２６年８月１４日付け手続補正が却下されるとともに、同日付けで拒絶査定がされ、これに対して、平成２７年２月９日付けで拒絶査定不服審判請求がされるとともに同時に手続補正がされ、その後、当審において平成２７年１２月１８日付けで拒絶理由（以下、「当審拒絶理由１」という。）が通知され、平成２８年２月２２日付けで意見書が提出されるとともに手続補正がされ、同年４月６日付けで最後の拒絶理由（以下、「当審拒絶理由２」という。）が通知され、同年７月６日付けで意見書が提出されるとともに手続補正がされたものである。
　
第２　本願発明
　本願の請求項１ないし１９に係る発明（以下、それぞれを「本願発明１」ないし「本願発明１９」とし、それらをまとめて「本願発明」いう。）は、平成２８年７月６日付けの手続補正で補正された特許請求の範囲の請求項１ないし１９に記載された事項により特定される下記のものと認められる。
「【請求項１】
　少なくとも２つの独立した電極を用いて複数のソーラーセルを接触させ結線するための方法であって、少なくとも１つの電極は、少なくとも１つの第１ワイヤ導体から形成されており、少なくとも１つの別の電極は、少なくとも１つの第２ワイヤ導体から形成されている、方法において、以下のステップ、すなわち、
−間断ない前記第１および第２ワイヤ導体を位置付けし、それによって、該第１ワイヤ導体が、複数のソーラーセルの一面にわたって延伸し、該第２ワイヤ導体が、複数のソーラーセルの他面にわたって延伸する、ステップと、
−結線に必要な位置で、前記電極を遮断するステップと、
−前記ソーラーセルと前記電極とを接触させるステップと、
−一の前記ソーラーセル上の前記第１ワイヤ導体と隣接する他の前記ソーラーセル上の前記第２ワイヤ導体との間で結線を形成するステップと、
を備え、
　前記第１ワイヤ導体および前記第２ワイヤ導体は、互いにずらされて置かれており、前記電極を遮断するステップによって分割されていることを特徴とする方法。
【請求項２】
　前記電極を前記ソーラーセルと接触させるステップおよび／あるいは少なくとも２つの前記電極同士の接触させるステップが、前記電極を遮断するステップの前に行われることを特徴とする請求項１に記載の方法。
【請求項３】
　以下のステップ、すなわち、
−第１電極を複数のソーラーセルの光入射面に設置するステップであって、前記第１電極が、互いにほぼ平行でありかつ隣り合う少なくとも２つのソーラーセルにわたって延伸する、多数のワイヤ導体から形成される、ステップと、
−前記第１電極の前記ワイヤ導体を隣り合う前記ソーラーセルの背面で第２電極と接触させるステップと、
−前記第１電極および前記第２電極の接触箇所と隣り合う前記ソーラーセルの縁部との間で、前記第１電極および／あるいは前記第２電極のワイヤ導体を遮断するステップと、によって実行されることを特徴とする請求項１あるいは２に記載の方法。
【請求項４】
　前記電極が、接触要素／横方向接合部材によって互いに結線／接触させられ、
　前記接触要素／横方向接合部材の設置が、第１電極の前記ワイヤ導体の配列に対してほぼ垂直に、かつ隣り合う２つのソーラーセルの間および第１電極と第２電極との間の中間空間において行われることを特徴とする請求項１から３のいずれか一項に記載の方法。
【請求項５】
　第１電極の第１ワイヤ導体が、前記ソーラーセルの上面（光入射面）で接触させられ、
　さらなる接触要素が、第２電極の第２ワイヤ導体の形状で、および、横方向接合部材の形状で形成されており、
　前記第２ワイヤ導体が、前記第１ワイヤ導体に対してほぼ平行に、前記ソーラーセルの下面で接触させられ、
　前記第１ワイヤ導体と前記第２ワイヤ導体とが、前記電気的横方向接合部材によって互いに結線されることを特徴とする請求項１から４のいずれか一項に記載の方法。
【請求項６】
　前記横方向接合部材に対する前記第１ワイヤ導体および前記第２ワイヤ導体の接合は、それぞれ互い違いに遮断され、それによって、直列接続ができることを特徴とする請求項４あるいは５に記載の方法。
【請求項７】
　接触の構築は、バーを前記ソーラーセルにプリントせずに行われることを特徴とする請求項１から６のいずれか一項に記載の方法。
【請求項８】
　分割されたソーラーセルは、互いに接触させられかつ結線されていることを特徴とする請求項１から７のいずれか一項に記載の方法。
【請求項９】
　ソーラーセルが少なくとも２つの独立した電極によって互いに接触し合うソーラーセル複合体であって、
　第１電極が、ソーラーセルの一面において複数のソーラーセルに架る少なくとも１つの第１ワイヤ導体から形成されており、
　第２電極が、ソーラーセルの他面において複数のソーラーセルに架る少なくとも１つの第２ワイヤ導体から形成されており、
　前記第１電極および／あるいは前記第２電極が、結線のために必要な位置で分離されており、
　一の前記ソーラーセル上の前記第１ワイヤ導体と隣接する他の前記ソーラーセル上の前記第２ワイヤ導体との間には、結線が形成されており、
　前記第１ワイヤ導体および前記第２ワイヤ導体は、互いにずらされて置かれていることを特徴とするソーラーセル複合体。
【請求項１０】
　少なくとも１つの第１電極が、少なくとも１つの第１ワイヤ導体から形成され、
　前記第１電極が、２つのソーラーセルの間で前記第２電極と接触しており、
　複数の前記電極が、接触要素／横方向接合部材によって互いに結線／接触していることを特徴とする請求項９に記載のソーラーセル複合体。
【請求項１１】
　前記第１電極および／あるいは前記第２電極が、前記ソーラーセルの間で分離されていることを特徴とする請求項９あるいは１０に記載のソーラーセル複合体。
【請求項１２】
　前記第１ワイヤ導体および前記第２ワイヤ導体の数は同じであるか、あるいは前記第１ワイヤ導体が前記第２ワイヤ導体より多く存在していることを特徴とする請求項９から１１のいずれか一項に記載のソーラーセル複合体。
【請求項１３】
　ワイヤフィールドは、特にほぼ等距離に設けられた、厚さ５０μｍ−３００μｍのそれぞれ１０−５０（最適には約２０）のワイヤ導体から成ることを特徴とする請求項９から１２のいずれか一項に記載のソーラーセル複合体。
【請求項１４】
　分割されたソーラーセルは、互いに接触させられかつ結線されていることを特徴とする請求項９から１３のいずれか一項に記載のソーラーセル複合体。
【請求項１５】
　前記ソーラーセル複合体が、複数のソーラーセルと、
−第１ソーラーセルの光入射面上の第１電極であって、該第１電極が、互いにほぼ平行でありかつこのソーラーセルの光入射面と接触している多数の第１ワイヤ導体から成る、第１電極と、
−第２ソーラーセルの背面上の第２電極であって、隣り合う前記第２ソーラーセルの背面と接合されかつ前記第１ソーラーセルへの中間空間において前記第１ソーラーセルの前記第１電極と接触している、第２電極と、
を備えることを特徴とする請求項９から１４のいずれか一項に記載のソーラーセル複合体。
【請求項１６】
　前記ソーラーセル複合体が、互いに接合されかつ接触し合う複数のソーラーセルを備え、
　前記ソーラーセルが、前記第１電極の第１ワイヤ導体によって互いに接合されかつ接触して第１ワイヤ導体、並列するソーラーセルの長手方向に延在する、あるいは、前記第１電極の第１ワイヤ導体のグループによって互いに接合されかつ接触する、かつ、少なくとも１つのさらなる接触要素あるいはさらなる接触要素のグループによって互いに接合されかつ接触し、それによって、ソーラーセル複合体を形成し、
　前記第１ワイヤ導体および／あるいは前記さらなる接触要素が、（前記ソーラーセルの間で）分離されており、その結果、直列接続あるいは並列接続が存在していることを特徴とする請求項９から１５のいずれか一項に記載のソーラーセル複合体。
【請求項１７】
　前記第１ワイヤ導体および／あるいは前記第２ワイヤ導体および／あるいは横方向接合部材が、バー（導電軌道）をプリントせずに、直接的に前記ソーラーセルに接合されていることを特徴とする請求項９から１６のいずれか一項に記載のソーラーセル複合体。
【請求項１８】
　前記第２電極が、互いにほぼ平行である多数の第２ワイヤ導体から形成されることを特徴とする請求項９から１７のいずれか一項に記載のソーラーセル複合体。
【請求項１９】
　２つのソーラーセルの間に設けられている接触要素／横方向接合部材が、前記ソーラーセルとほぼ同じ厚さ以上であることを特徴とする請求項９から１８のいずれか一項に記載のソーラーセル複合体。」
　
第３　原査定の理由について
１　原査定の理由の概要
＜理由１＞
　本願発明１−３，７−９，１１，１２，１４，１６，１７，１８は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
＜理由２＞
　本願発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　　　記
　
引用文献１：特開２００９−２６０２０２号公報
引用文献２：国際公開第８６／０３６２３号
引用文献３：特開２００４−２４７４０２号公報
　
（１）理由１について
　引用文献１（特に【００４８】及び図３）または引用文献２（Ｆｉｇ．３，４）には、第１ワイヤ導体と第２ワイヤ導体が互いにずれて置かれているものが記載されているから、本願発明１−３，７−９，１１，１２，１４，１６，１７，１８は、引用文献１または引用文献２に記載された発明である。
　
（２）理由２について
　本願発明４−６，１０，１５，１９における接触要素等については、引用文献１，２及び引用文献３（各図）を参照して容易に想到し得るものである。
　本願発明１３，１４については、具体化に伴う設計変更にすぎない。
　
＜理由３＞
　本願は、特許請求の範囲の記載が下記の点で、特許法第３６条第６項第１号に規定する要件を満たしていない。
＜理由４＞
　本願は、特許請求の範囲の記載が下記の点で、特許法第３６条第６項第２号に規定する要件を満たしていない。
　
　　　　　　　　　　　　　　　　　記
　
　請求項１，９には、「ずれて互いに重なって置かれている」と記載されているが、発明の詳細な説明の記載や平成２６年４月８日付の意見書の「本願明細書の図８に示すように、第１ワイヤ導体３及び第２ワイヤ３．１が上下方向で重ならないように延在しています。」という主張にあるように、第１ワイヤ導体と第２ワイヤ導体は重なっていない。
　また、「ずれて互いに重なって置かれている」と記載されているが、２つの物はずれていれば重なっていないし、重なっていればずれていないので、上記構成は、ずれているのか重なっているのか、どちらであるのか把握することができず、どのような構成であるのか不明確である。
　よって、請求項１及び７に係る発明は発明の詳細な説明に記載したものでなく明確でもない。
　
２　原査定の理由１及び理由２の判断
（１）刊行物の記載事項
ア　引用文献１には、以下の記載がある（下線は当審が付した。以下同じ。）。
（ア）「【技術分野】
【０００１】
　本発明は、太陽電池素子をタブリード線により連続的又は断続的に接続させる太陽電池素子の接続方法及び接続装置、並びに太陽電池素子に係り、特に、ボビンに巻き取られたタブリード線で太陽電池素子を接続するに際し、タブリード線を硬化させずに巻き癖を修正して、太陽電池素子に反りや割れが生じないようにするとともに、例えば、半田付けによりタブリード線を太陽電池素子に接合する場合でも半田の溶融温度以上に加熱されることによる熱膨張を吸収してタブリード線の接合部分の浮きや曲がりを防ぎ、素子電極とタブリード線の接合接続を確実にすることができる太陽電池素子の接続方法及び接続装置、並びに太陽電池素子に関する。」
　
（イ）「【００４２】
　太陽電池素子Ｓの接続を電気的に直列にする方法は太陽電池素子Ｓにおける電極の配置等により異なるため一概にはいえないが、例えば、図３に示したような＋極及び−極が双方とも裏面に設けられた裏面電極型の太陽電池素子Ｓを接続する場合は、
太陽電池素子Ｓを１つおきに平面的に１８０°回転させて、１の太陽電池素子Ｓの＋極とこれに隣接する太陽電池素子Ｓの−極が直線状且つ千鳥状に並ぶようにしてから、その上にタブリード線Ｔを連続して半田付けし
、その後に切除手段７を作動させて、＋極から−極に延設されたタブリード線Ｔを残し、−極から＋極に延設されたタブリード線Ｔの一部分だけを隣接する太陽電池素子Ｓの間で切除するようにする
　
（ウ）「【００４８】
　上記の方法により、好適に接続できる太陽電池素子Ｔの例を図３に示す。これは、＋電極及び−電極が共に略矩形の基板の一方の面（裏面）に配置された、所謂裏面電極型の太陽電池素子に属する。
　この
太陽電池素子Ｔ
＋電極Ｅ及び−電極Ｅは互いに平行な１以上の列
に列設されているとともに、これらの電極の列Ｅは基板の二辺と平行であり、
一本の長いタブリード線を直線状に伸ばして、直列状に並んだ電極列Ｅに沿って半田付けする
　さらに一の＋電極列とこれに最も近い−電極列の距離Ｌ”はこれらに接合される一対のタブリード線の間でモジュールとして必要な絶縁が確保される程度以上であるので、この＋電極列Ｅに接続するタブリード線Ｔと−電極列Ｅに接続するタブリード線Ｔのあいだでショートが発生しない。」
　
（エ）図１及び３は次のものである。
　
（オ）上記（ア）ないし（エ）によれば、引用文献１には、次の発明（以下、「引用発明１」という。）が記載されていると認められる
「＋極及び−極が双方とも裏面に設けられた裏面電極型の太陽電池素子Ｓを接続する方法であって、
　＋電極及び−電極は互いに平行な１以上の列に列設されているとともに、これらの電極の列は基板の二辺と平行であり、
　太陽電池素子Ｓを１つおきに平面的に１８０°回転させて、１の太陽電池素子Ｓの＋極とこれに隣接する太陽電池素子Ｓの−極が直線状且つ千鳥状に並ぶようにしてから、その上にタブリード線Ｔを連続して半田付けし、その後に切除手段７を作動させて、＋極から−極に延設されたタブリード線Ｔを残し、−極から＋極に延設されたタブリード線Ｔの一部分だけを隣接する太陽電池素子Ｓの間で切除するようにすることにより、
　一本の長いタブリード線を直線状に伸ばして、直列状に並んだ電極列に沿って半田付けする、
　太陽電池素子Ｓを接続する方法。」
　
イ　引用文献２（訳は、引用文献２のファミリー文献である特表昭６２−５００９７５号公報を参考にして、当審で作成した。）
（ア）「Field Of The invention
　This invention relates to photovoltaic solar cells in general, and more particularly to 
methods for electrically interconnecting photovoltaic solar cells
（発明の技術分野
　本発明は一般に光起電太陽電池に係り、更に詳細にいえば、
光起電太陽電池を互いに電気的に接続する方法
　
（イ）「After the bus strips have been securely attached to the cell electrodes, the interconnected solar cells will be in the form shown in Fig. 3. Specifically, each intermediate cell in the array (i.e., 
each cell in the array disposed intermediate the two end cells of the array
will be connected to its two neighboring cells by the two bus strips, with the top electrode of a particular cell connected to the two bottom electrodes of the two immediately adjacent cells by one bus strip, and the bottom electrode of that particular cell connected to the two top electrodes of the two immediately adjacent cells by the other bus strip.
the two bus strips must still be alternately severed between adjacent cells
so as to achieve an array
　The bus strips may be alternately severed between adjacent cells either before the cells leave drum 10 or after the cells leave drum 10. Various means well known to persons skilled in the art may be used for appropriately severing the bus strips, since the use of a particular severing means is not critical to the present invention.
　Referring again to Fig. 1, it is preferred to sever the strips after the cells leave drum 10 by passing the cells over a cutting drum 500 after they leave the soldering device. It is to be noted that transfer of a solar cell from drum 10 to cutting drum 500 involves terminating the suction holding the solar cell to drum 10, so as to release it for movement toward drum 500.
　Cutting drum 500 preferably is similar to drum 10, having a series of flat faces 515A-515L which are sized so that each will accommodate one solar cell thereon. Although not shown, it is to be understood that drum 500 may have suction holes in its flat faces for causing the interwoven solar cells to be held to the cutting drum as it rotates. Cutting drum 500 is driven by a drive means comprising a stepping motor 50 and a drive train 55 so as to be indexed forward one face at a time in synchronism with drum 10, so that when face 15A is occupying the top position of drum 10, a face 515A will be occupying the top position of drum 500. As the solar cells leave the solder bath 400, they are transported directly onto faces 515A-515L of drum 500 and held there by suction. A cutter device 600 is disposed adjacent cutting drum 500 and is adapted to be operated once immediately after drums 10 and 500 are indexed forward one face position. Cutter 600 is arranged so as to alternately sever bus strips 105 and 205 intermediate the cells, so as to achieve a series array as shown in Fig. 4. As each solar cell passes the cutter 600, the suction holding it to drum 500 is terminated so as to allow that solar cell to move away from the drum.」（１７頁２６行〜１９頁２２行）
（バスストリツプを電池の電極に固着した後は互いに接続された太陽電池の形態は第３図に示した如くになる。特に、この配列における各中間の電池（この
配列の両端間の中間に配置した各電池
は２つのバスストリツプにより隣接した２つの電池に接続され、特定の１つの電池の頂面の電極は１つのバスストリツプにより２つの至近の電池の底面の電極に１つのバスストリツプにより接続され、この特定の電池の底面の電極は２つの至近の電池の頂面の電極に他のスリツプバスにより接続され
２つのバスストリツプを隣接した電池間で交互に
切断して
配列を形成する
　バスストリツプは電池がドラム１０を離れる以前か離れた後に隣接した電極間で交互に切断できる。特定の切断手段を使用することが本発明にとっては重要ではないのでバスストリツプを切断するのに当業者に知られている種々の手段を使用できる。
　再び第１図を参照すると、電池が半田付け装置を離れた後に電池を切断ドラム５０上を通過させることにより電池がドラム１０を離れた後にバスストリツプを切断することが好ましい。太陽電池をドラム１０から切断ドラム５０に移動させるには太陽電池をドラム１０に保持する吸引作用を終え太陽電池を解放してドラム５０に向は運動させるということを注目する必要がある。
　切断ドラム５００はドラム１０に似てそれぞれが１つの太陽電池を処理する寸法にした一連の平たい面５１５Ａ−５１５Ｌを有していることが好ましい。図示してないが、ドラム５００がその平たい面に吸引孔を有していて切断ドラムが回転するに従い組み合わせた太陽電池をこのドラムに保持させることができることを理解する必要がある。切断ドラム５００は駆動手段により駆動され、この駆動手段はドラム１０と同期して切断ドラム５００を一時に１つの面だけ正方向に割出すステツピングモータ５０と駆動列５５とを備え、従って、面１５Ａがドラム１０の頂点位置を占めている時面５１５Ａはドラム５００の頂点位置を占める。太陽電池が半田浴４００を出るに従い、これら電池はドラム５００の面５１５Ａ−５１５Ｌに直接移される。カツター装置６００が切断ドラム５００の付近に配置されドラム１０、５００が正方向に１つの面位置だけ割出された直後１回作動せしめられるようにしてある。カツター装置６００は電池間でバスストリツプを切断して第４図に示した如き直列の配列を形成する。各太陽電池がカツター装置６００を通りすぎる毎に電池をドラムに保持している吸引作用を停止し太陽電池がドラムから遠ざかり運動できるようにする。）
　
（ウ）Ｆｉｇ．３及び４は次のものである。
　
（エ）上記（ア）ないし（ウ）によれば、引用文献２には、次の発明（以下、「引用発明２」という。）が記載されていると認められる
「配列の両端間の中間に配置した各電池は２つのバスストリツプにより隣接した２つの電池に接続され、特定の１つの電池の頂面の電極は１つのバスストリツプにより２つの至近の電池の底面の電極に１つのバスストリツプにより接続され、この特定の電池の底面の電極は２つの至近の電池の頂面の電極に他のスリツプバスにより接続され、
　２つのバスストリツプを隣接した電池間で交互に切断して配列を形成する、
　光起電太陽電池を互いに電気的に接続する方法。」
　
ウ　引用文献３には、以下の記載がある。
（ア）「【００６０】
（第２実施形態）
この第２実施形態では、金属ワイヤーからなる第１リード電極と金属箔からなる第２リード電極により電気的に直列接続された複数の太陽電池を備えた太陽電池モジュールについて説明する。なお、本実施形態の太陽電池モジュールのサイズは、約１．３ｍ×約０．９ｍ×約８ｍｍである。
【００６１】
図３は、複数の太陽電池が電気的に直列接続されてなる本発明の第２実施形態による太陽電池モジュールの構造を示した断面図である。また、図４は、上記本発明の第２実施形態による太陽電池モジュールにおいて、電気的に直列接続された太陽電池の上面とリード電極同士が電気的に接続される接続部とを説明するための上面図である。図３および図４を参照して、以下に斯かる本発明の太陽電池モジュールの構造について説明する。なお、図３および図４においては、図１および図２と同一の部分には同一番号を付して説明を省略する。
【００６２】
第２実施形態による太陽電池モジュールでは、第１実施形態の太陽電池モジュールと同様の太陽電池１、１１、２１、…が約５ｍｍの間隔だけ隔てて配置されている。ここで、太陽電池１および１１は、それぞれ、本発明の「第１太陽電池」および「第２太陽電池」の一例である。
【００６３】
太陽電池１、１１、２１、…の上面上には、互いに平行に配置された約５０μｍの直径を有する約５０本（図４では、一部省略。）の銅線（金属ワイヤー）からなる第１リード電極３４、４４、５４、…がそれぞれ形成されている。また、太陽電池１、１１、２１、…の下面上の略全面には、銅箔（金属箔）からなり、約１００μｍの厚さを有する第２リード電極３５、４５、５５、…が形成されている。なお、第１リード電極３４、４４、５４、…および第２リード電極３５、４５、５５、…は、太陽電池１、１１、２１、…の上面上および下面上に、エポキシ樹脂に数μｍの直径を有する銀粒子を練り込んだ導電性接着剤によってそれぞれ取り付けられている。
【００６４】
次に、隣接する太陽電池間の電気的な接続を詳細に説明するため、図３および図４を参照して、太陽電池１、１１、２１、…の間の電気的な接続について述べる。
【００６５】
第２リード電極４５、５５、…は、太陽電池１、１１、２１、…が配置されている配置面に略平行になるように直線状に配置されているとともに、太陽電池１１、２１、…の下面上および端部から太陽電池１、１１、２１、…に向かって突出している。また、第１リード電極３４、４４、５４、…は、太陽電池１、１１、２１、…の上面上の略全長に渡って形成され、太陽電池１、１１、２１、…の上面上および端部から太陽電池１１、２１、…に向かって延びるとともに、太陽電池１、１１、２１、…の間に位置している第２リード電極４５、５５、…の上面上の接続部６、１６、…において第２リード電極４５、５５、…と略平行になるように配置されている。そして、接続部６、１６、…において第１リード電極３４、４４、５４、…と第２リード電極４５、５５、…とがそれぞれ電気的に接続されることによって、太陽電池１、１１、２１、…が電気的に直列接続されている。
【００６６】
また、本実施形態による太陽電池モジュールでは、第１実施形態の太陽電池モジュールと同様に、上述のように電気的に直列接続された太陽電池１、１１、２１、…は、一対の面状の部材７および８の間に挟まれ、その間には太陽電池１、１１、２１、…をそれぞれ被包するように封止材９が充填されている。このようにして、電気的に直列接続された複数の太陽電池を備える太陽電池モジュールが構成されている。
【００６７】
図５は、本発明の第２実施形態による太陽電池モジュールの製造プロセスを説明するための断面図である。図３、図４および図５を参照して、本発明の第２実施形態による太陽電池モジュールの製造プロセスについて説明する。
【００６８】
図５（ａ）に示すように、太陽電池１、１１、２１、…の下面上の略全面に、エポキシ樹脂に数μｍの直径を有する銀粒子を練り込んだ導電性接着剤を塗布した銅箔（金属箔）からなる約１００μｍの厚さを有する第２リード電極３５、４５、５５、…を接触させる。ここで、第２リード電極４５、５５、…は、太陽電池１１、２１、…の下面上および端部から隣接する太陽電池１、１１、２１、…に向かって突出しているとともに、太陽電池１、１１、２１、…が配置される配置面に略平行になるように直線状に配置される。次に、約８０℃に加熱された平面ヒータを第２リード電極３５、４５、５５、…に押し付けたまま約２００℃まで昇温し、第２リード電極３５、４５、５５、…を所定時間加熱する。これにより、導電性接着剤を熱硬化させて、太陽電池１、１１、２１、…の下面上に第２リード電極３５、４５、５５、…をそれぞれ電気的に接続する。そして、太陽電池１、１１、２１、…を約５ｍｍの間隔を隔てて面状に配置する。
【００６９】
次に、太陽電池１、１１、２１、…の上面上に、エポキシ樹脂に数μｍの直径を有する銀粒子を練り込んだ導電性接着剤を表面に塗布した約５０μｍの直径を有する約５０本の銅線（金属ワイヤー）からなる細線状のリード線５０を接触させる。このとき、図５（ａ）に示すように、太陽電池１、１１、２１、…の間において、リード線５０は弛ませて取り付けられる。
【００７０】
次に、図５（ｂ）に示すように、太陽電池１、１１、２１、…の間で、リード線５０を折り曲げるとともに、第２リード電極４５、５５、…の上面上の接続部６、１６、…に押し付けることによって接続部６、１６、…に接触させる。そして、太陽電池１、１１、２１、…の上面上および接続部６、１６、…の上面上において、約８０℃に加熱された平面ヒータをリード線５０に押し付けたまま約２００℃まで昇温し、リード線５０を所定時間加熱する。これにより、導電性接着剤を熱硬化させて、リード線５０と太陽電池１、１１、２１、…および第２リード電極３５、４５、５５、…とをそれぞれ電気的に電気的に接続する。
【００７１】
さらに、図５（ｂ）に示すように、接続部６、１６、…と太陽電池１１、２１、…の上面端部との間のリード線５０を、図中の矢印の位置で回転式カッターやレーザなどを用いてそれぞれ切断、除去することによって、図３および図４に示すように、第１リード電極３４、４４、５４、…を形成する。このようにして、図３および図４に示すように、太陽電池１、１１、２１、…を電気的に直列接続する。
【００７２】
最後に、第１実施形態と同様のプロセスにより、一対の面状の部材７および８の間に電気的に直列接続された太陽電池１、１１、２１、…を挟むとともに、太陽電池１、１１、２１、…をそれぞれ被包するように封止材９を充填することによって、本発明の第２実施形態による太陽電池モジュールが製造される。
【００７３】
第２実施形態では、上記のように、第１リード電極３４、４４、５４、…は約５０μｍの直径を有する銅線（金属ワイヤー）からなる細線状の金属線から構成されている。これにより、第１リード電極３４、４４、５４、…の取り付けられている太陽電池１、１１、２１、…の上面側を受光面とすることによって、無効発電領域を小さくすることができる。また、多数の第１リード電極３４、４４、５４、…が太陽電池１、１１、２１、…の上面上に均一に形成されているので、十分な集電効果を有しており、第１集電極フィンガー部の形成が不要となる。これにより、さらに無効発電領域を小さくすることができるので、出力特性を向上させることができるとともに、太陽電池モジュールの製造プロセスを簡略化することができる。
【００７４】
また、上記第２実施形態では、第１リード電極３４、４４、５４、…を同一の第２リード電極４５、５５、…に電気的に接続している。これにより、各第１リード電極を構成する約５０本の銅線上に流れる電流のバランスを保つことができるため、電流のアンバランスによる出力特性の低下を抑制することができる。
【００７５】
また、上記第２実施形態では、導電性接着剤によって、第１リード電極３４、４４、５４、…および第２リード電極３５，４５、５５、…を太陽電池１、１１、２１、…の上面上および下面上にそれぞれ形成しているので、集電極バスバー部および集電極フィンガー部を有する集電極を太陽電池１および１１の上面上および下面上にそれぞれ形成する必要がない。これにより、製造プロセスが簡略化されるとともに製造コストの低減を図ることができる。
【００７６】
また、上記第２実施形態では、太陽電池１、１１、２１、…の上面上と接続部６、１６、…とを銅線（金属ワイヤー）からなる細線状のリード線５０で電気的に接続した後、接続部６、１６、…と太陽電池１１、２１、…の上面端部との間のリード線５０を切断、除去している。これにより、各太陽電池１、１１、２１、…への第１リード電極３４、４４、５４、…の形成と、接続部６、１６、…における第１リード電極３４、４４、５４、…と第２リード電極４５、５５、…との電気的な接続とを同時に行うことができるので、製造プロセスが簡略化されるとともに製造コストの低減を図ることができる。
【００７７】
（第３実施形態）
この第３実施形態では、上記第１実施形態に加えて、隣接する各太陽電池の間に各リード電極を電気的に接続する接続部材をさらに備えた太陽電池モジュールについて説明する。なお、本実施形態の太陽電池モジュールのサイズは、約１．３ｍ×約０．９ｍ×約８ｍｍである。
【００７８】
図６は、複数の太陽電池が電気的に直列接続されてなる本発明の第３実施形態による太陽電池モジュールの構造を示した断面図である。また、図７は、上記本発明の第３実施形態による太陽電池モジュールにおいて、電気的に直列接続された太陽電池の上面とリード電極同士が電気的に接続される接続部とを説明するための上面図である。図６および図７を参照して、以下に斯かる本発明の太陽電池モジュールの構造について説明する。なお、図６および図７においては、図１および図２と同一構成の部分には同一番号を付して説明を省略する。
【００７９】
第３実施形態による太陽電池モジュールでは、第１実施形態の太陽電池モジュールと同様の太陽電池１、１１、２１、…を有しており、接続部６、１６、…において第１リード電極４、１４、２４、…と第２リード電極１５、２５、…とが電気的に接続することによって、太陽電池１、１１、２１、…は電気的に直列接続されている。ここで、太陽電池１および１１は、それぞれ、本発明の「第１太陽電池」および「第２太陽電池」の一例である。
【００８０】
さらに、接続部６、１６、…の上面上には、はんだ付けなどの方法によって、Ｓｎ−Ａｇ−Ｃｕ系等の鉛フリーの金属箔からなり約２ｍｍ幅×約６０ｍｍ長×約２００μｍ厚のサイズのシート状の接続部材１０、２０、…が電気的に接続されるとともに、それぞれ１対の銅箔（金属箔）からなる第１リード電極４、１４、２４、…と第２リード１５、２５、…とを電気的に接続している。
【００８１】
また、本実施形態による太陽電池モジュールでは、第１実施形態の太陽電池モジュールと同様に、上述のように電気的に直列接続された太陽電池１、１１、２１、…は、一対の面状の部材７および８の間に挟まれ、その間には太陽電池１、１１、２１、…をそれぞれ被包するように封止材９が充填されている。このようにして、電気的に直列接続された複数の太陽電池を備える太陽電池モジュールが構成されている。
【００８２】
次に、図６および図７を参照して、本発明の第３実施形態による太陽電池モジュールの製造プロセスについて説明する。
【００８３】
まず、第１実施形態と同様のプロセスにより、図６に示すように、はんだ付けなどの方法によって、第１リード電極４、１４、２４、…と第２リード電極１５、２５、…とを接続部６、１６、…で相互に電気的に接続することよって太陽電池１、１１、２１、…の電気的に直列接続を行う。
【００８４】
次に、第１リード電極４、１４、２４、…と第２リード電極１５、２５、…とが電気的に接続された接続部６、１６、…において、接続部材１０、２０、…をはんだ付けなどの方法によって、それぞれ電気的に接続することによって、それぞれ１対の銅箔（金属箔）からなる第１リード電極４、１４、２４、…と第２リード電極１５、２５、…とを電気的に接続する。
【００８５】
最後に、第１実施形態と同様のプロセスにより、一対の面状の部材７および８の間に直列電気的に接続された太陽電池１、１１、２１、…を挟むとともに、太陽電池１、１１、２１、…をそれぞれ被包するように封止材９を充填することによって、本発明の第３実施形態による太陽電池モジュールが製造される。
【００８６】
第３実施形態では、上記のように、隣接する太陽電池１、１１、２１、…の間には、それぞれ複数のリード電極からなる第１リード電極４、１４、２４、…と第２リード電極１５、２５、…とを接続する接続部材１０、２０、…を備えている。これにより、隣接する太陽電池１、１１、２１、…の間で接続された第１リード電極４、１４、２４、…と第２リード電極１５、２５、…との機械的強度を向上させることができるため、モジュール形成プロセス中に隣接する太陽電池１、１１、２１、…の間隔が変化することを抑制することができる。また、接続部材１０、２０、…は導電性を有しているので、接続部材１０、２０、…と第１リード電極４、１４、２４、…および第２リード電極５、１５、２５、…の少なくともいずれかとが電気的に接続されるので、隣接する太陽電池１、１１、２１、…が複数の第１リード電極４、１４、２４、…および第２リード電極１５、２５、…により電気的に接続されている場合に、複数の第１リード電極４、１４、２４、…および第２リード電極１５、２５、…に流れる電流のバランスを保つことができる。その結果、複数の第１リード電極４、１４、２４、…および第２リード電極１５、２５、…に流れる電流のアンバランスによる出力特性の低下を抑制することができる。
【００８７】
（第４実施形態）
この第４実施形態では、金属ワイヤーからなるリード電極と隣接する各太陽電池の間の導電性を有する接続部材とにより電気的に直列接続された複数の太陽電池を備えた太陽電池モジュールについて説明する。なお、本実施形態の太陽電池モジュールのサイズは、約１．３ｍ×約０．９ｍ×約８ｍｍである。
【００８８】
図８は、複数の太陽電池が電気的に直列接続されてなる本発明の第４実施形態による太陽電池モジュールの構造を示した断面図である。また、図９は、上記本発明の第４実施形態による太陽電池モジュールにおいて、電気的に直列接続された太陽電池の上面とリード電極同士が電気的に接続される接続部とを説明するための上面図である。図８および図９を参照して、以下に斯かる本発明の太陽電池モジュールの構造について説明する。なお、図８および図９においては、図３および図４と同一の部分には同一番号を付して説明を省略する。
【００８９】
第４実施形態による太陽電池モジュールでは、第１実施形態の太陽電池モジュールと同様の太陽電池１、１１、２１、…が約５ｍｍの間隔だけ隔てて配置されている。ここで、太陽電池１および１１は、それぞれ、本発明の「第１太陽電池」および「第２太陽電池」の一例である。
【００９０】
また、隣接する太陽電池１、１１、２１、…の間には、太陽電池１、１１、２１、…と略同じ厚みを有する銅箔（金属箔）からなり約２ｍｍ幅×約１００ｍｍ長×約２００μｍ厚のサイズのシート状の接続部材３０、４０、…が、太陽電池１、１１、２１、…と同一面上に配置されている。
【００９１】
次に、隣接する太陽電池間の電気的な接続を詳細に説明するため、図８および図９を参照して、太陽電池１、１１、２１、…の間の電気的な接続について述べる。
【００９２】
太陽電池１、１１、２１、…の上面上には、互いに平行に配置された約５０μｍの直径を有する約５０本（図９では、一部省略。）の銅線（金属ワイヤー）からなる第１リード電極６４、７４、８４、…がそれぞれ形成されている。また、第１リード電極６４、７４、８４、…は、太陽電池１、１１、２１、…の上面上および端部から接続部材３０、４０、…に向かって突出するとともに、接続部材３０、４０、…の上面上の接続部３０ａ、４０ａ、…において接続部材３０、４０、…と電気的に接続されている。太陽電池１、１１、２１、…の下面上には、互いに平行に配置された約５０μｍの直径を有する約５０本（図９では、一部省略。）の銅線（金属ワイヤー）からなる第２リード電極６５、７５、８５、…がそれぞれ形成されている。また、第２リード電極７５、８５、…は、太陽電池１１、２１、…の下面上および端部から接続部材３０、４０、…に向かって突出するとともに、接続部材３０、４０、…の下面上の接続部３０ｂ、４０ｂ、…において接続部材３０、４０、…と電気的に接続されている。なお、第１リード電極６４、７４、８４、…および第２リード電極６５、７５、８５、…は、太陽電池１、１１、２１、…および接続部材３０、４０、…の上面上および下面上の略全長に渡って、エポキシ樹脂に数μｍの直径を有する銀粒子を練り込んだ導電性接着剤によってそれぞれ取り付けられている。これにより、太陽電池１、１１、２１、…は、第１リード電極６４、７４、８４、…および第２リード電極７５、８５、…と接続部材３０、４０、…とによって電気的に直列接続されている。
【００９３】
また、本実施形態による太陽電池モジュールでは、第１実施形態の太陽電池モジュールと同様に、上述のように電気的に直列接続された太陽電池１、１１、２１、…は、一対の面状の部材７および８の間に挟まれ、その間には太陽電池１、１１、２１、…をそれぞれ被包するように封止材９が充填されている。このようにして、電気的に直列接続された複数の太陽電池を備える太陽電池モジュールが構成されている。
【００９４】
図１０は、本発明の第４実施形態による太陽電池モジュールの製造プロセスを説明するための断面図である。図８、図９および図１０を参照して、本発明の第４実施形態による太陽電池モジュールの製造プロセスについて説明する。
【００９５】
まず、図１０（ａ）に示すように、太陽電池１、１１、２１、…を約５ｍｍの間隔だけ隔てて配置するとともに、太陽電池１、１１、２１、…の間に接続部材３０、４０、…を配置する。
【００９６】
次に、図１０（ｂ）に示すように、太陽電池１、１１、２１、…の上面上および下面上と、接続部材３０、４０、…の上面上の接続部３０ａ、４０ａ、…および下面上の接続部３０ｂ、４０ｂ、…とに、エポキシ樹脂に数μｍの直径を有する銀粒子を練り込んだ導電性接着剤を塗布した約５０μｍの直径を有する約５０本の銅線（金属ワイヤー）からなる細線状のリード線５０および６０をそれぞれ接触させる。ここで、リード線５０および６０は、それぞれ、本発明の「第１リード線」および「第２リード線」の一例である。次に、太陽電池１、１１、２１、…および接続部材３０、４０、…の上面上および下面上において、約８０℃に加熱された平面ヒータをリード線５０および６０に押し付けたまま約２００℃まで昇温し、リード線５０および６０を所定時間加熱する。これにより、導電性接着剤を熱硬化させて、リード線５０および６０と、太陽電池１、１１、２１、…および接続部材３０、４０、…の上面上および下面上とをそれぞれ電気的に接続する。
【００９７】
次に、図１０（ｂ）に示すように、接続部材３０、４０、…の上面上の接続部３０ａ、４０ａ、…と太陽電池１１、２１、…の上面端部との間のリード線５０を、図中の矢印の位置で回転式カッターやレーザなどを用いてそれぞれ切断、除去することによって、図８および図９に示すように、第１リード電極６４、７４、８４、…を形成する。また、接続部材３０、４０、…の下面上の接続部３０ｂ、４０ｂ、…と太陽電池１、１１、２１、…の下面端部との間のリード線６０を、図中の矢印の位置で回転式カッターやレーザなどを用いてそれぞれ切断、除去することによって、第２リード電極６５、７５、８５、…を形成する。このようにして、図８および図９に示すように、太陽電池１、１１、２１、…が電気的に直列接続される。」
　
（イ）図３ないし１０は次のものである。
　
（２）対比・判断
ア　本願発明１と引用発明１の対比
（ア）本願発明１と引用発明１とを対比すると、
「少なくとも２つの独立した電極を用いて複数のソーラーセルを接触させ結線するための方法であって、少なくとも１つの電極は、少なくとも１つの第１ワイヤ導体から形成されており、少なくとも１つの別の電極は、少なくとも１つの第２ワイヤ導体から形成されている、方法において、以下のステップ、すなわち、
−結線に必要な位置で、前記電極を遮断するステップと、
−前記ソーラーセルと前記電極とを接触させるステップと、
を備え、
　前記第１ワイヤ導体および前記第２ワイヤ導体は、互いにずらされて置かれており、前記電極を遮断するステップによって分割されている方法。」
　の点で一致している。
　他方、本願発明１と引用発明１は、下記点で相違する。
　本願発明１は、「間断ない前記第１および第２ワイヤ導体を位置付けし、それによって、該第１ワイヤ導体が、複数のソーラーセルの一面にわたって延伸し、該第２ワイヤ導体が、複数のソーラーセルの他面にわたって延伸する、ステップ」、及び、「一の前記ソーラーセル上の前記第１ワイヤ導体と隣接する他の前記ソーラーセル上の前記第２ワイヤ導体との間で結線を形成するステップ」を備えるのに対し、引用発明１はこのようなステップを備えない点（以下、「相違点１」という。）。
　
（イ）判断
　上記相違点１について検討する。
　引用発明１は、「＋極及び−極が双方とも裏面に設けられた裏面電極型の太陽電池素子Ｓを接続する方法であって、＋電極及び−電極は互いに平行な１以上の列に列設されているとともに、これらの電極の列は基板の二辺と平行であり、太陽電池素子Ｓを１つおきに平面的に１８０°回転させて、１の太陽電池素子Ｓの＋極とこれに隣接する太陽電池素子Ｓの−極が直線状且つ千鳥状に並ぶようにしてから、その上にタブリード線Ｔを連続して半田付け」するものである。
　これに対して、引用発明２及び引用文献３に記載された事項は、＋電極と−電極は太陽電池素子の異なる面に配置されたものであって、引用発明１と、引用発明２及び引用文献３に記載された事項とでは、＋電極と−電極を太陽電池素子の同じ面に配置するか、違う面に配置するかの点で大きく相違しており、引用発明２及び引用文献３に記載された事項を引用発明１に適用することは想定できない。
　したがって、本願発明１は引用発明１ではない。また、本願発明１が、引用発明１に、引用発明２及び引用文献３に記載された事項を適用して容易に発明をすることができたともいえない。
　本願発明１と同様の構成を備える本願発明９についても同様である。
　
イ　本願発明１と引用発明２の対比
（ア）本願発明１と引用発明２とを対比すると、
「少なくとも２つの独立した電極を用いて複数のソーラーセルを接触させ結線するための方法であって、少なくとも１つの電極は、少なくとも１つの第１ワイヤ導体から形成されており、少なくとも１つの別の電極は、少なくとも１つの第２ワイヤ導体から形成されている、方法において、以下のステップ、すなわち、
−結線に必要な位置で、前記電極を遮断するステップと、
−前記ソーラーセルと前記電極とを接触させるステップと、
を備え、
　前記第１ワイヤ導体および前記第２ワイヤ導体は、互いにずらされて置かれており、前記電極を遮断するステップによって分割されている方法。」
　の点で一致している。
　他方、本願発明１と引用発明２は、下記点で相違する。
　本願発明１は、「間断ない前記第１および第２ワイヤ導体を位置付けし、それによって、該第１ワイヤ導体が、複数のソーラーセルの一面にわたって延伸し、該第２ワイヤ導体が、複数のソーラーセルの他面にわたって延伸する、ステップ」及び「一の前記ソーラーセル上の前記第１ワイヤ導体と隣接する他の前記ソーラーセル上の前記第２ワイヤ導体との間で結線を形成するステップ」を含むのに対し、引用発明２はこのようなステップを同時に含まない点（以下、「相違点２」という。）。
　
（イ）判断
　上記相違点２について検討する。
　引用発明２は、「配列の両端間の中間に配置した各電池は２つのバスストリツプにより隣接した２つの電池に接続され、特定の１つの電池の頂面の電極は１つのバスストリツプにより２つの至近の電池の底面の電極に１つのバスストリツプにより接続され、この特定の電池の底面の電極は２つの至近の電池の頂面の電極に他のスリツプバスにより接続され」るものである。
　これに対して、引用文献３には、２つのリード電極を複数の太陽電池の一面にわたって延伸する方法が記載されている。
　すると、引用発明２では、１つのバスストリツプは、隣接する太陽電池の頂面と底面を接続するように配置されるのに対して、引用文献３に記載された事項では、１つのリード電極は、複数の太陽電池の一面わたって延伸されるという点で大きく相違しており、引用文献３に記載された事項を引用発明２に適用することは想定できない。
　さらに、引用発明２と引用発明１とでは、前述のとおり、＋電極と−電極を太陽電池素子の同じ面に配置するか、違う面に配置するかの点で大きく相違しており、引用発明２に引用発明１の構成を適用することも想定できない。
　したがって、本願発明１は引用発明２ではない。また、本願発明１が、引用発明２に、引用発明１ないし引用文献３に記載された事項を適用して容易に発明をすることができたともいえない。
　本願発明１と同様の構成を備える本願発明９についても同様である。
　
（３）小括
　したがって、本願発明１及び９は、引用発明１あるいは引用発明２ではない。
　また、本願発明１及び９は、引用発明１、引用発明２及び引用文献３に記載された事項に基づいて容易に発明をすることができたとはいえない。
　そして、本願発明２ないし８は、本願発明１をさらに限定したものであり、また、本願発明１０ないし１９は、本願発明９をさらに限定したものであるので、同様に、引用発明１あるいは引用発明２ではなく、また、当業者が引用発明１、引用発明２及び引用文献３に記載された事項に基づいて容易に発明をすることができたとはいえない。
　
３　原査定の理由３及び理由４の判断
（１）平成２８年７月６日付けの手続補正書によって、本願の請求項１は、「間断ない前記第１および第２ワイヤ導体を位置付けし、それによって、該第１ワイヤ導体が、複数のソーラーセルの一面にわたって延伸し、該第２ワイヤ導体が、複数のソーラーセルの他面にわたって延伸する、ステップと」、「一の前記ソーラーセル上の前記第１ワイヤ導体と隣接する他の前記ソーラーセル上の前記第２ワイヤ導体との間で結線を形成するステップと、を備え、前記第１ワイヤ導体および前記第２ワイヤ導体は、互いにずらされて置かれており、前記電極を遮断するステップによって分割されている」と補正され、本願の請求項９は「第１電極が、ソーラーセルの一面において複数のソーラーセルに架る少なくとも１つの第１ワイヤ導体から形成されており、第２電極が、ソーラーセルの他面において複数のソーラーセルに架る少なくとも１つの第２ワイヤ導体から形成されており」、「一の前記ソーラーセル上の前記第１ワイヤ導体と隣接する他の前記ソーラーセル上の前記第２ワイヤ導体との間には、結線が形成されており、前記第１ワイヤ導体および前記第２ワイヤ導体は、互いにずらされて置かれている」と補正された。このことにより、請求項１及び９に係る発明は、発明の詳細な説明に記載されたものとなり、かつ、明確となった。
　よって、原査定の理由３及び理由４は解消した。
　
４　以上「２」及び「３」での検討によれば、原査定の理由によっては、本願を拒絶することはできない。
　
第４　当審拒絶理由について
１　当審拒絶理由１の概要
　本願は、特許請求の範囲及び発明の詳細な説明の記載が下記の点で、特許法第３６条第４項第１号、同条第６項第１号及び同条第６項第２号に規定する要件を満たしていない。
　
　　　　　　　　　　　　　　　　　記
　
（１）特許法第３６条第４項第１号及び同条第６項第１号について
　本願請求項１における、「前記第１ワイヤ導体および前記第２ワイヤ導体は、セグメントに分割されており、前記セグメントは、互いにずらされて置かれている」との発明特定事項について、「セグメント」と、「ソーラーセルモジュール」あるいは「モジュール」との関係も明らかではなく、「セグメント」がいかなるものであるのか、当業者が理解できるように記載されているとは認められない。
　本願請求項９、本願請求項１を引用する請求項２ないし８、及び、本願請求項９を引用する請求項１０ないし２０も同様である。
　
（２）特許法第３６条第４項第１号及び同条第６項第２号について
ア　本願請求項１及び同項を引用する請求項２ないし８、及び、本願請求項９及び同項を引用する請求項１０ないし２０における「セグメント」について
　本願明細書の記載によれば、「セグメントに分割されて」いるのは「ソーラーセル複合体」であるところ、「セグメントに分割されて」いる「ソーラーセル複合体」が、「互いにずらされて置かれている」とはどのような構造を意味するのか、明細書に記載がなく理解できない。
　
イ　本願請求項１及び同項を引用する請求項２ないし８における「少なくとも１つの電極は、少なくとも１つの第１および第２ワイヤ導体から形成されている」との発明特定事項について
　本願明細書の記載をみても、「１つの電極」が「１つの第１および第２ワイヤ導体から形成されている」との記載はみあたらない。
　また、「少なくとも１つ」であるから「複数」の場合を含むところ、「複数の電極」が「少なくとも１つの第１および第２ワイヤ導体から形成されている」との記載では、具体的にどの電極が、どのワイヤ導体から形成されているのか特定できず、不明確な記載である。
　
ウ　本願請求項９ないし２０について
　本願請求項９、１６、１７は、いずれも「ソーラーセル複合体」という物の発明である。
　本願請求項９、１６、１７及び同項を引用する各項は、製造に関して経時的な要素の記載がある場合に該当するため、当該請求項にはその物の製造方法が記載されているといえる。
　したがって、本願請求項９、１６、１７及び同項を引用する各項に係る発明は明確でない。
　
２　当審拒絶理由２の概要
［理由１］本願は、特許請求の範囲の記載が下記の点で、特許法第３６条第６項第２号に規定する要件を満たしていない。
　
　　　　　　　　　　　　　　　　　記
　
（１）本願請求項１における、「前記第１ワイヤ導体および前記第２ワイヤ導体は、互いにずらされて置かれており、前記電極を遮断するステップによって分割されている」との発明特定事項は、ソーラーセルとの電気的接続関係が不明である。
　同様の記載を含む請求項９も、同じ理由で不明確である。
　
（２）本願請求項１における、「複数のソーラーセル」と、「第１ワイヤ導体」及び「第２ワイヤ導体」の関係は、複数のソーラーセルの、あるソーラーセルのどの面（どの電極）と第１ワイヤ導体が接続され、他のソーラーセルのどの面（どの電極）と第１ワイヤ導体が接続され、同様に、あるソーラーセルのどの面（どの電極）と第２ワイヤ導体が接続され、他のソーラーセルのどの面（どの電極）と第２ワイヤ導体が接続され、全体として複数のソーラーセルの結線を実現しているのか不明確である。
　同様の記載を含む請求項９も、同じ理由で不明確である。
　
［理由２］平成２８年２月２２日付けでした手続補正は、下記の点で願書に最初に添付した明細書、特許請求の範囲又は図面に記載した事項の範囲内においてしたものでないから、特許法第１７条の２第３項に規定する要件を満たしていない。
　　　　　　　　　　　　　　　　　記
　
　請求項１に記載された発明の実体的な実施例（本願明細書の段落【００７８】及び図１０Ｍ）に特有の発明の目的（解決すべき課題）が記載された段落【００１５】において、「本課題のさらなる目的は、バー（導電軌道）のための印刷される領域を減らし、あるいはこれを完全になくすことにある。」を削除することは、願書に最初に添付した明細書において特定されていた請求項１に記載された発明の目的（解決すべき課題）を、願書に最初に添付した明細書において解決できない発明とされていた発明にまで拡張することとなるから、当該補正事項は、願書に最初に添付した明細書の範囲内のものとはいえない。
　
３　当審拒絶理由の判断
（１）平成２８年７月６日付け手続補正書によって、
　本願の請求項１は、
「少なくとも１つの電極は、少なくとも１つの第１ワイヤ導体から形成されており、少なくとも１つの別の電極は、少なくとも１つの第２ワイヤ導体から形成されている」、「間断ない前記第１および第２ワイヤ導体を位置付けし、それによって、該第１ワイヤ導体が、複数のソーラーセルの一面にわたって延伸し、該第２ワイヤ導体が、複数のソーラーセルの他面にわたって延伸する、ステップ」及び「一の前記ソーラーセル上の前記第１ワイヤ導体と隣接する他の前記ソーラーセル上の前記第２ワイヤ導体との間で結線を形成するステップ」
　と補正され、本願の請求項９は、
「第１電極が、ソーラーセルの一面において複数のソーラーセルに架る少なくとも１つの第１ワイヤ導体から形成されており、第２電極が、ソーラーセルの他面において複数のソーラーセルに架る少なくとも１つの第２ワイヤ導体から形成されており」、「一の前記ソーラーセル上の前記第１ワイヤ導体と隣接する他の前記ソーラーセル上の前記第２ワイヤ導体との間には、結線が形成されており、前記第１ワイヤ導体および前記第２ワイヤ導体は、互いにずらされて置かれている」
　と補正され、本願の請求項１６は、
「前記ソーラーセル複合体が、互いに接合されかつ接触し合う複数のソーラーセルを備え、
　前記ソーラーセルが、前記第１電極の第１ワイヤ導体によって互いに接合されかつ接触して第１ワイヤ導体、並列するソーラーセルの長手方向に延在する、あるいは、前記第１電極の第１ワイヤ導体のグループによって互いに接合されかつ接触する、かつ、少なくとも１つのさらなる接触要素あるいはさらなる接触要素のグループによって互いに接合されかつ接触し、それによって、ソーラーセル複合体を形成し、
　前記第１ワイヤ導体および／あるいは前記さらなる接触要素が、（前記ソーラーセルの間で）分離されており、その結果、直列接続あるいは並列接続が存在していることを特徴とする請求項９から１５のいずれか一項に記載のソーラーセル複合体。」と補正され、
　さらに、補正前の請求項１７は削除された。
　このことにより、請求項１、９及び１６に係る発明及び発明の詳細な説明の記載は明確となった。
　よって、当審拒絶理由１及び当審拒絶理由２の［理由１］は解消した。
　
（２）平成２８年７月６日付け手続補正書によって、本願明細書の段落【００１５】に、「本課題のさらなる目的は、バー（導電軌道）のための印刷される領域を減らし、あるいはこれを完全になくすことにある。」が追加された。
　よって、当審拒絶理由２の［理由２］は解消した。
　
第５　むすび
　以上のとおり、原査定の理由によっては、本願を拒絶することはできない。
　また、他に本願を拒絶すべき理由を発見しない。
　よって、結論のとおり審決する。